(57)【要約】      （修正有）【課題】接触感染予防の対策の１つとして不特定多数が利用する施設や用具への直接の接触を防止するため、手間をかけず随時使用できる機能付きの指輪を提供する。【解決手段】素手での接触によるウイルスや病原菌の付着を予防するため指輪２に固定した台座部３とフック部５とを組み合わせ、台座部は（１）側面視直線状で、その両端に於いて９０度上向き、（２）その高さは、それぞれの台座部先端の幅と略同じで、上向きの端面は略正方形をなし、（３）片方の端面は、押ボタンスイッチの操作面となるプッシュバー４で、その反対側の上向き端面はフック部５と組合される接続面で、（４）台座部の両端面間の長さは、フック部の両端面間の長さより長い、以上（１）〜（４）の構成を有する。【選択図】図１
0003230806.tif 000002
【実用新案登録請求の範囲】
【請求項１】
指輪に固定した台座部は、フック部と吊輪部を支えるとともに、指輪をはめた指の汚染物との接触を防ぐため指の第２関節よりも指先側に長くし指をカバーする構造を有している。台座部の先端は押ボタンのプッシュ棒として機能する。フック部は使用目的に対応しやすく平面と曲面を合理的に連続しコンパクトな特徴を有する。フック部外面は切替スイッチの操作、フック部はレバー型ドアノブの開閉とロック、更に乗物の吊革をつかむ時に使用する。
【請求項２】
前記フック部の曲面部と外側平面部にまたがってスリットを設けることにより、いろいろな形状のドアロックに深くかぶせることができ、確実にロックとロック解除の機能を有する。
【請求項３】
フック部は使用しない時９０度回転して倒すことができる。
【考案の詳細な説明】
【技術分野】
【０００１】    本考案は指輪に取り付けた部材により、直接素手で触れることなく簡単に操作ができることにより接触感染を予防する指輪に関するものである。
【背景技術】
【０００２】    不特定多数の人々が接する施設や器具との接触を避けるための手袋や、エレベーターのボタンを押すのに爪楊枝、綿棒等、原始的な物を使用して素手での接触を避けているのが現実である。
【考案の開示】
【考案が解決しようとする課題】
【０００３】    感染予防のため医療現場では使い捨てのゴム手袋を使用しているが、ゴム手袋は脱着の際に手順や注意をおこたると危険であり、一般社会人がその都度細心の注意をして取替えるのも面倒で費用的にも現実的でない。又、爪楊枝や綿棒を常時持ち歩くのもその処分も難点がある。【０００４】    そこで、本考案は以上の課題を解決すべく使用方法が簡単で必要な時に即座に使用できるよう指輪に操作に対応した部材を取り付けた機能付指輪を提供することを目的とした。
【課題を解決するための手段】
【０００５】    本考案は素手での直接接触を防ぐため、素手で触っていたところに部材を介することにより直接の接触を防ぐ。【０００６】    この考案は必要な時にすぐに利用できるよう指輪に取り付けてある。
【考案の効果】
【０００７】    以上のように、本考案により日常生活で不特定多数の人々が利用、接触するエレベーター、券売機、自動販売機等の押しボタンスイッチの操作、切替スイッチの操作、レバー式ドアノブの開閉とロック操作、乗物の吊り輪へのつかまりも直接の接触を防ぐことができ感染予防が可能となる。
【考案を実施するための最良の形態】
【０００８】    用途に応じた平面、曲面部材を軽量、小型に機能的に構成し、それを指輪と一体化させているため必要な時にすぐに使用可能で、押しボタンスイッチの操作は台座部先端のプッシュバーで、切替スイッチの操作はフック部外面の曲面部平面部で、レバー式ドアの開閉操作はフック部で、更に乗物の吊革はフック部に一体化した吊輪を使用することで素手での接触を防ぐことができる。
【実施例】
【０００９】    以下に本考案に係る接触感染予防機能付指輪の図１から図４で説明する。本考案に係る感染防止機能付指輪は図１で本考案に係る感染防止機能付指輪の全体図である。指輪２と一体化させた機能部は台座部３とフック部５で構成されている。【００１０】    台座部３の先端はプッシュバー４でエレベーター、券売機、自動販売機等の押しボタンスイッチの押し棒として使用する。使用時は手を握って行う。以下同じ。【００１１】    照明などの切替スイッチの操作は曲面部６の外面を切替スイッチに当て、当たり面を転がす様に移動させてオン・オフの操作を行う。又、フック部５の外面でも操作はできる。【００１２】    レバー式ドアノブの操作は台座部３とフック部５内側でレバーを挟み下方向に押しラッチを引込めながらドアを押す又は引くことによりドアを開閉する。ロックをする場合ロックキーをスリット７にはめ込みねじることでロック操作ができる。【００１３】    電車、バス等の乗物の吊革につかまる場合は吊革の吊り輪をフック部５に入れて使用する。この場合は一度指輪を外して指輪側の吊り輪を使用する。
【図面の簡単な説明】
【００１４】
【図１】  本考案の平面図、側面図、立面図である
【図２】  本考案の斜視図である
【図３】  レバー式ドアの開閉の使用方法の例を示す図である
【図４】  吊り輪の使用図である
【符号の説明】
【００１５】１  接触感染予防機能付指輪
２  指輪
３  台座部
４  プッシュバー
５  フック部
６  曲面部
７  スリット
８  吊輪
９  ボルト
【図１】
0003230806.tif 000003
【図２】
0003230806.tif 000004
【図３】
0003230806.tif 000005
【図４】
0003230806.tif 000006
【手続補正書】
【提出日】令和2年11月17日(2020.11.17)
【手続補正１】
【補正対象書類名】実用新案登録請求の範囲
【補正対象項目名】全文
【補正方法】変更
【補正の内容】
【実用新案登録請求の範囲】
【請求項１】
指輪の上面に固定された板状の台座部は
（１）側面視直線状で、その両端に於いて９０度上向き、
（２）その高さは、それぞれの台座部先端の幅と略同じで、
上向きの端面は略正方形をなし、
（３）片方の端面は、押ボタンスイッチの操作面となるプッシュバーで、
その反対側の上向き端面は次の請求項２のフック部と組合される接続面で、
（４）台座部の両端面間の長さは、前記請求項２のフック部の両端面間の長さより長い、
以上（１）〜（４）の構成を有する接触感染予防機能付指輪の台座部。
【請求項２】
前記の台座部と組合されるフック部は、
（１）側面視板状の直線部の一方の先端に於いて、下向きの半円弧を描き、
その先端は更に上記直線部と平行に先に延びフック状をなし
（２）フック部の反対側の直線部の端に於いて、９０度下向き
その下向き長さは前記半円弧の直径の略２倍、
（３）前記の下向き面の外面には吊輪が取り付く、
（４）平面視、フック部の幅の中央にスリットを設け
その範囲は、半円弧とこれに続く直線部に至る、
以上（１）〜（４）の構成を有するこの形状は請求項１に記載した台座部と組合される接触感染予防機能付指輪のフック部。
【請求項３】
前記請求項１の台座部と前記請求項２のフック部との組合せの接続は、
（１）側面視前記台座部のプッシュバーと反対側の９０度上向き面の外側に、
前記フック部の９０度下向面を重ね合わせ、
（２）前記の重ね合わせ面に於いて台座部の９０度上向き面の中央にボルト１本を通しナ      ットで締付け、前記台座部と前記フック部を固定又はナットを弛めた状態でボルト      を軸にフック部が略９０度倒れる構造、
以上（１）〜（２）の構成を有する組合せ接続により完成する
接触感染予防機能付指輪の接続部。